(57)【特許請求の範囲】
【請求項１】
家具本体（２）に対して相対的に運動可能に支承された家具部分（３）を運動させるための家具駆動装置（４）であって、
−  前記家具本体（２）に固定することができる第１のハウジング壁（５ａ）と、該第１のハウジング壁（５ａ）から少なくとも部分的に間隔を置いて配置された第２のハウジング壁（５ｂ）とを備えたハウジング（５）を有しており、
−  少なくとも前記第１のハウジング壁（５ａ）が、固定手段（１６ａ）をガイドするための少なくとも１つのガイド装置（１９ａ）を有しており、前記固定手段（１６ａ）によって前記第１のハウジング壁（５ａ）を前記家具本体（２）に固定することができるようになっている、
家具駆動装置（４）において、
前記固定手段（１６ａ）をガイドするための前記少なくとも１つのガイド装置（１９ａ）と別個に形成された少なくとも１つの支持体（２１ａ）が設けられており、該少なくとも１つの支持体（２１ａ）が、前記少なくとも１つのガイド装置（１９ａ）を少なくとも部分的に取り囲んでいて、前記第１のハウジング壁（５ａ）にも前記第２のハウジング壁（５ｂ）にも固く結合されており、これによって、前記第１のハウジング壁（５ａ）に対して相対的な前記第２のハウジング壁（５ｂ）の運動が阻止されており、
前記ガイド装置（１９ａ）が、前記第１のハウジング壁（５ａ）から突出して、該第１のハウジング壁（５ａ）に形成された支持縁部（１７ａ）であって、前記家具本体（２）に当付け可能な支持縁部（１７ａ）によって少なくとも部分的に取り囲まれていることを特徴とする、家具駆動装置（４）。
【請求項２】
前記ガイド装置（１９ａ）が、前記支持縁部（１７ａ）によって完全に取り囲まれている、請求項１記載の家具駆動装置。
【請求項３】
前記少なくとも１つの支持体（２１ａ）が、互いに結合された少なくとも２つの脚部（２０ａ，２０ｂ）を有しており、該脚部（２０ａ，２０ｂ）が、互いに所定の角度を成していることを特徴とする、請求項１または２記載の家具駆動装置。
【請求項４】
前記脚部（２０ａ，２０ｂ）が、互いに鋭角を成している、請求項３記載の家具駆動装置。
【請求項５】
前記少なくとも１つの支持体（２１ａ）が、前記ガイド装置（１９ａ）を少なくとも１８０°の角度範囲にわたって取り囲んでいることを特徴とする、請求項１から４までのいずれか１項記載の家具駆動装置。
【請求項６】
前記少なくとも１つの支持体（２１ａ）が、前記第１のハウジング壁（５ａ）および／または前記第２のハウジング壁（５ｂ）に溶接、リベット締めまたは加締めされていることを特徴とする、請求項１から５までのいずれか１項記載の家具駆動装置。
【請求項７】
前記少なくとも１つの支持体（２１ａ）が少なくとも１つの固定箇所（１８）を有しており、該少なくとも１つの固定箇所（１８）が、一方のハウジング壁（５ａ，５ｂ）に設けられた対応する切欠き（１８ａ）内に係合していることを特徴とする、請求項１から６までのいずれか１項記載の家具駆動装置。
【請求項８】
前記支持体（２１ａ）が少なくとも２つの固定箇所（１８）を有しており、第１の固定箇所（１８）が、前記第１のハウジング壁（５ａ）に設けられた対応する切欠き（１８ａ）内に係合しており、第２の固定箇所（１８）が、前記第２のハウジング壁（５ｂ）に設けられた対応する切欠き（１８ａ）内に係合していることを特徴とする、請求項７記載の家具駆動装置。
【請求項９】
前記少なくとも１つの支持体（２１ａ）が金属材料から成っていることを特徴とする、請求項１から８までのいずれか１項記載の家具駆動装置。
【請求項１０】
前記少なくとも１つの支持体（２１ａ）が、少なくとも部分的に前記支持縁部（１７ａ）の内側に配置されていることを特徴とする、請求項１から９までのいずれか１項記載の家具駆動装置。
【請求項１１】
前記少なくとも１つの支持体（２１ａ）が、完全に前記支持縁部（１７ａ）の内側に配置されていることを特徴とする、請求項１０記載の家具駆動装置。
【請求項１２】
前記第１のハウジング壁（５ａ）が、第２の固定手段（１６ｂ）をガイドするための少なくとも１つの第２のガイド装置（１９ｂ）を有しており、少なくとも１つの第２の支持体（２１ｂ）が、前記第２のガイド装置（１９ｂ）を少なくとも部分的に取り囲んでいることを特徴とする、請求項１から１１までのいずれか１項記載の家具駆動装置。
【請求項１３】
第１の前記支持体（２１ａ）と前記第２の支持体（２１ｂ）とが、互いに１８０°だけ向きをずらされて配置されていることを特徴とする、請求項１２記載の家具駆動装置。
【請求項１４】
前記第１のハウジング壁（５ａ）および／または前記第２のハウジング壁（５ｂ）が、前記家具本体（２）に当て付けるための、互いに間隔を置いて配置された複数の突出部（１５ａ，１５ｂ，１５ｃ，１５ｄ，１５ｅ，１５ｆ，１５ｇ，１５ｈ）を有していることを特徴とする、請求項１から１３までのいずれか１項記載の家具駆動装置。
【請求項１５】
前記第１のハウジング壁（５ａ）と前記第２のハウジング壁（５ｂ）とが、互いに同じ構造で形成されていることを特徴とする、請求項１から１４までのいずれか１項記載の家具駆動装置。
【請求項１６】
前記家具駆動装置（４）が、運動可能な前記家具部分（３）を運動させるための、旋回可能に支承された少なくとも１つの作動アーム（６）と、該作動アーム（６）に力を加えるためのばね装置（７）とを有していることを特徴とする、請求項１から１５までのいずれか１項記載の家具駆動装置。
【請求項１７】
家具本体（２）と、該家具本体（２）に対して相対的に運動可能に支承された家具部分（３）と、運動可能な該家具部分（３）を運動させるための、請求項１から１６までのいずれか１項記載の少なくとも１つの家具駆動装置（４）とを備えた家具（１）。
【発明の詳細な説明】
【技術分野】
【０００１】
本発明は、家具本体に対して相対的に運動可能に支承された家具部分を運動させるための家具駆動装置であって、
−  家具本体に固定することができる第１のハウジング壁と、この第１のハウジング壁から少なくとも部分的に間隔を置いて配置された第２のハウジング壁とを備えたハウジングを有しており、
−  少なくとも第１のハウジング壁が、固定手段をガイドするための少なくとも１つのガイド装置を有している、
家具駆動装置に関する。
【０００２】
さらに、本発明は、家具本体と、この家具本体に対して相対的に運動可能に支承された家具部分と、説明すべき形態の家具駆動装置とを備えた家具に関する。
【０００３】
国際公開第２０１７／０５９４７１号の図５ａ、図５ｂには、家具フラップを運動させるための家具駆動装置の形態の家具金具が示されている。この家具金具は、固定装置によって家具本体に組付け可能である。固定装置は２つの固定要素を有している。両固定要素は、１つの共通の円筒状の孔内に差込み可能であり、ロック要素をねじることによって拡開位置に運動可能であり、これによって、固定要素が、拡開位置で孔の内部に摩擦接続によって保持されている。
【０００４】
独国実用新案第２０２０１６１０１２８５号明細書には、家具フラップを運動させるための家具駆動装置が開示されている。この家具駆動装置は、ピンを収容するための切欠きを有している。第１の組付けステップでは、ピンが家具本体に予め組み付けられ、後続の組付けステップでは、予め組み付けられたピンを切欠き内に導入することによって、家具駆動装置がピンにロックされる。これによって、家具駆動装置を家具本体に固定することができる。
【０００５】
独国特許出願公開第１０２００７０４９１４３号明細書には、パーティクルボードに組み付けるための家具金具が開示されている。この家具金具の、パーティクルボードに向かって拡幅された開口室内には、支持体が配置されている。この支持体は、ねじを収容するために形成されていて、組付け状態でパーティクルボードに接触しており、これによって、開口室内でねじの引抜きの危険とパーティクルボードからの木材の欠落ちとが減じられる。
【０００６】
このような家具駆動装置のハウジングは、通常、家具本体に固定手段（例えばねじ）によって組み付けられる。このためには、家具駆動装置のハウジングが、固定手段をガイドしかつ／または収容するためのガイド装置（例えば孔または円筒状の区分）を有している。家具本体へのハウジングのねじ締結時かつ／または重い家具部分の運動時には、ハウジングが、発生した力によって変形するか、よじられるかまたは下方に下がることが生じてしまう。この場合、両ハウジング壁の間に望ましくない相対運動が生じる。これによって、家具駆動装置の複数のジョイント軸が互いに相対的にずらされ、摩擦力が大幅に高められる。このことは、数多くの事例において、家具駆動装置のロックによって、運動可能な家具部分を全く操作することができなくなるかまたはもはや難動性を伴ってしか操作することができなくなることに繋がってしまう。
【０００７】
本発明の課題は、冒頭で述べたカテゴリの家具駆動装置を改良して、上述した欠点を回避することである。
【０００８】
このことは、本発明によれば、請求項１の特徴によって解決される。本発明の別の実施例は従属請求項に記載してある。
【０００９】
したがって、本発明によれば、固定手段をガイドするための少なくとも１つのガイド装置と別個に形成された少なくとも１つの支持体が設けられており、この少なくとも１つの支持体が、少なくとも１つのガイド装置を少なくとも部分的に取り囲んでいて、第１のハウジング壁にも第２のハウジング壁にも固く結合されており、これによって、第１のハウジング壁に対して相対的な第２のハウジング壁の運動が抑制されていることが提案されている。
【００１０】
言い換えると、ハウジングを安定させるために、少なくとも１つの支持体が設けられている。この支持体は、第１のハウジング壁と第２のハウジング壁との間に配置されていて、第１のハウジング壁にも第２のハウジング壁にも固く結合されている。固定手段を収容しかつ／またはガイドするためのガイド装置は、少なくとも１つの支持体によって少なくとも部分的に取り囲まれており、これによって、ガイド装置が、支持体によって安定させられていて、ハウジング壁の残りの領域から十分に切り離されている。こうして、ハウジング壁同士が互いに相対的に安定させられ、これによって、家具駆動装置のジョイント軸相互の平行な位置も維持される。
【００１１】
１つの実施例によれば、少なくとも１つの支持体がＶ字形またはＵ字形に形成されていることを提案することができる。少なくとも１つの支持体は少なくとも２つの脚部を有しており、これらの脚部が、互いに所定の角度、好ましくは鋭角を成している。
【００１２】
別の実施例によれば、少なくとも１つの支持体が、ガイド装置を少なくとも１８０°の角度範囲にわたって取り囲んでいることを提案することができる。
【００１３】
好ましくは金属から成る少なくとも１つの支持体は、第１のハウジング壁および／または第２のハウジング壁に溶接、リベット締めまたは揺動加締めすることができる。
【００１４】
本発明の更なる詳細および利点は、以下の図面の説明から明らかとなる。
【図面の簡単な説明】
【００１５】
【図１ａ】家具本体に対して相対的に運動可能に支承された家具部分を備えた家具を示す図である。
【図１ｂ】運動可能な家具部分を運動させるための家具駆動装置を示す図である。
【図２】家具駆動装置の斜視図である。
【図３】家具駆動装置のハウジングの分解図である。
【図４ａ】第１のハウジング壁の斜視図である。
【図４ｂ】第１のハウジング壁の側面図である。
【図５ａ】家具駆動装置の横断面図である。
【図５ｂ】図５ａの横断面図に対する拡大詳細図である。
【００１６】
図１には、家具１の斜視図が示してある。この家具１では、運動可能な家具部分３が家具駆動装置４によって、水平に延びる回動軸を中心として家具本体２に対して相対的に旋回可能に支承されている。運動可能な家具部分３は家具駆動装置４によって、鉛直な閉鎖位置から出発して、家具本体２に対して相対的に持ち上げられた位置へと運動可能である（逆方向へも然り）。家具駆動装置４は、家具本体２に固定することができるハウジング５を有している。このハウジング５は、第１のハウジング壁５ａと、ハウジング５に対して相対的に旋回可能に支承された、運動可能な家具部分３を運動させるための少なくとも１つの作動アーム６とを備えている。この作動アーム６に力を加えるために、ばね装置７が設けられている。このばね装置７は、家具部分３の重力を少なくとも部分的に補償し、運動可能な家具部分３の開放運動を使用者に対してアシストする。作動アーム６は、運動可能な家具部分３に固定することができる金具部材２２に係止装置２３（図１ｂ）によって解離可能に係止可能である。
【００１７】
図１ｂには、１つの可能な実施例による家具駆動装置４が示してある。第１のハウジング壁５ａにばね装置７（例えばコイルばねとして形成された少なくとも１つの圧縮ばね）が支承されている。このばね装置７は、位置不変のジョイント軸Ａに支持されていて、ジョイント軸Ｂを加圧している。このジョイント軸Ｂは、ジョイント軸Ｃを中心として回動可能に支承された二腕状の変向レバー９の第１のレバー端部に支承されている。変向レバー９の第２のレバー端部は、ジョイント軸Ｄを介してプッシュレバー１０に結合されている。このプッシュレバー１０はピン１１を介して、回動軸Ｅを中心として回動可能な旋回レバー１２に枢動自在に結合されている。調整装置１３の操作によって、旋回レバー１２のガイドに沿った、ジョイント軸Ｅに対して相対的なピン１１の間隔ひいてはピン１１とジョイント軸Ｅとの間の有効なレバーアームが可変となり、これによって、ばね装置７の、作動アーム６に加えられる回転モーメントが、運動可能な家具部分３の各重量に相応して調整可能となる。旋回レバー１２は、ジョイント軸Ｆ，Ｇを介して第１のレバー８と第２のレバー１４とに枢動自在に結合されている。第１のレバー８と第２のレバー１４とは、ジョイント軸Ｈ，Ｉを介して作動アーム６に枢動自在に結合されている。
【００１８】
図２には、家具駆動装置４が斜視図で示してある。ハウジング５は、家具本体２に当て付けるための第１のハウジング壁５ａと、第２のハウジング壁５ｂとを有している。この第１のハウジング壁５ａと第２のハウジング壁５ｂとは、少なくとも部分的に互いに間隔を置いて配置されている。第１のハウジング壁５ａは、例えばねじの形態の第１の固定手段１６ａと第２の固定手段１６ｂとによって家具本体２に固定することができる。第２のハウジング壁５ｂは、少なくとも１つまたはそれ以上の支持体２１ａ，２１ｂ（図３）を介して第１のハウジング壁５ａに保持されている。ハウジング壁５ａ，５ｂは、鏡像対称的に形成された構成要素を除いて、互いに同じ構造で形成することができ、これによって、本明細書で前述した第１のハウジング壁５ａに対する複数の構成が、それぞれ第２のハウジング壁５ｂにも当てはまる（その逆も然り）。家具駆動装置４のこのような対称的な構造は、家具駆動装置４を、簡単な製造のほかに、家具本体２の左側の側壁または右側の側壁に選択的に固定することもできるという利点を有している。ハウジング壁５ａ，５ｂは、それぞれ互いに間隔を置いて配置された、家具本体２に当て付けるための複数の突出部１５ａ〜１５ｈを有しており、これによって、つまるところ、ハウジング壁５ａ，５ｂの大部分が、家具駆動装置４の組付け状態で家具本体２から間隔を置いて配置されている。
【００１９】
ハウジング壁５ａ，５ｂから突出していて、組付け位置でそれぞれ固定手段１６ａ，１６ｂを少なくとも部分的に取り囲んでいる、好ましくは窓状の支持縁部１７ａ，１７ｂを認めることができる。この支持縁部１７ａ，１７ｂは、それぞれ家具本体２に当付け可能であり、これによって、ハウジング５が組付け状態で、好ましくは専ら突出部１５ａ〜１５ｈと支持縁部１７ａ，１７ｂとを介して家具本体２に結合されている。支持縁部１７ａ，１７ｂの内側には、支持体２１ａ，２１ｂ（図３）の固定箇所１８が配置されている。この固定箇所１８は、ハウジング壁５ａ，５ｂに固く結合されていて、好ましくは溶接、リベット締めまたは揺動加締めされている。突出部１５ａ〜１５ｈおよび／または支持縁部１７ａ，１７ｂは、エンボス加工部として形成することができる。
【００２０】
図３には、ハウジング５が分解図で示してある。両ハウジング壁５ａ，５ｂは、ほぼプレート状に形成されていて、互いに同じ構造で形成することができる。ハウジング５を組付け状態において家具本体２に支持することができる突出部１５ａ〜１５ｈおよび支持縁部１７ａ，１７ｂを認めることができる。ハウジング壁５ａ，５ｂは、固定手段１６ａ，１６ｂ（図２）をガイドするためのそれぞれ少なくとも１つのガイド装置１９ａ，１９ｂを有している。少なくとも１つの支持体２１ａ，２１ｂはガイド装置１９ａ，１９ｂと別個に形成されている。支持体２１ａ，２１ｂは、組付け位置でそれぞれプレート状のハウジング壁５ａ，５ｂに結合されていて、少なくとも部分的にガイド装置１９ａ，１９ｂを取り囲んでおり、これによって、両ハウジング壁５ａ，５ｂ相互の運動を阻止または抑制している。図示の実施例では、ハウジング５の長手方向で互いに間隔を置いて配置された２つの支持体２１ａ，２１ｂが設けられている。両支持体２１ａ，２１ｂはＶ字形の異形材片として形成されている。支持体２１ａ，２１ｂの固定箇所１８は、組付け位置で、ハウジング壁５ａ，５ｂに設けられた対応する切欠き１８ａ内に係合している。
【００２１】
図４ａには、第２のハウジング壁５ｂを安定させるための支持体２１ａ，２１ｂを備えた第１のハウジング壁５ａが示してある。支持体２１ａ，２１ｂは、互いに結合されたそれぞれ２つの脚部２０ａ，２０ｂを有している。両脚部２１ａ，２１ｂは、互いに所定の角度、好ましくは鋭角を成している。支持体２１ａ，２１ｂは、それぞれハウジング壁５ａ，５ｂに向けられた側に少なくとも１つの固定箇所１８を有している。この固定箇所１８は、それぞれハウジング壁５ａ，５ｂの切欠き１８ａ（図３）内に係合している。図面では、第１の支持体２１ａと第２の支持体２１ｂとが、互いに１８０°だけずらされて配置されている。これによって、第２のハウジング壁５ｂを第１のハウジング壁５ａに対して相対的に複数の運動方向において不動にすることができる。
【００２２】
図４ｂには、第１のハウジング壁５ａの側面図が示してある。この側面図では、ガイド装置１９ａ，１９ｂに対して相対的な第１の支持体２１ａと第２の支持体２１ｂの配置形態が明らかである。両支持体２１ａ，２１ｂの固定箇所１８は、ガイド装置１９ａ，１９ｂの中心軸線に対して相対的に可能な限り大きな間隔を置いて配置されている。これによって、家具駆動装置４に外力が作用する際の抵抗モーメントが改善される。支持縁部１７ａ，１７ｂは、それぞれエンボス加工部として形成することができる。これによって、家具本体２へのねじ締結時のハウジング壁５ａ，５ｂの変形のリスクが減じられる。図面では、支持体２１ａ，２１ｂの固定箇所１８が、好ましくはほぼ正三角形を成すように配置されている。図示の三角形支持によって、家具駆動装置４は、大きな荷重を受け止めるために適している。
【００２３】
図５ａには、家具駆動装置４の横断面図が示してあるのに対して、図５ｂには、図５ａに円で囲んだ範囲が拡大図で示してある。固定手段１６ｂ、例えばねじを収容しかつ／またはガイドするためのガイド装置１９ｂは、２つまたはそれ以上の部分から形成することもでき、固定手段１６ｂをガイドするための、例えばスリーブの形態の円筒状の部分２４（図５ｂ）を付加的に有している。支持体２１ｂはこのガイド装置１９ｂと別個に形成されている。つまり、支持体２１ｂは、固定手段１６ｂをガイドするために設けられたものではなく、したがって、ガイド装置１９ｂに対して接触しないように形成されている。支持体２１ｂの、一方で第１のハウジング壁５ａに固く結合されていて、他方で第２のハウジング壁５ｂに固く結合されている固定箇所１８と、ハウジング壁５ａ，５ｂを安定させるために設けられていて、例えばエンボス加工により製作することができる横方向に突出した支持縁部１７ｂとを認めることができる。第１のハウジング壁５ａは、固定手段１６ａ，１６ｂによって家具本体２に固定することができる。これに対して、第２のハウジング壁５ｂは、少なくとも１つまたはそれ以上の支持体２１ａ，２１ｂを介して第１のハウジング壁５ａに支承されている。
【図１ａ】
0006914365.tif 000002
【図１ｂ】
0006914365.tif 000003
【図２】
0006914365.tif 000004
【図３】
0006914365.tif 000005
【図４ａ】
0006914365.tif 000006
【図４ｂ】
0006914365.tif 000007
【図５ａ】
0006914365.tif 000008
【図５ｂ】
0006914365.tif 000009